(57)【要約】【課題】電子機器へ確実に電波信号を受信させることができ、電子機器を正常に遠隔制御することができるリモコン装置を提供する。【解決手段】利用者が操作する操作手段と、操作手段の操作に対応した電波信号を、アンテナを介して送信する電波信号送信手段と、電源となる電池と、電池を支持すると共に、電池から電力を取出し可能な電池支持手段とを有し、電波信号を制御対象となる電子機器へ送信することにより、電子機器の機能を遠隔制御するリモコン装置において、電池支持手段を導電性部材からなる帯状体により構成すると共に電波信号送信手段と接続することにより、当該電池支持手段を電波信号送信用のアンテナとして機能させることとした。【選択図】図４
2007166149.tif 000002
【特許請求の範囲】
【請求項１】
利用者が操作する操作手段と、前記操作手段の操作に対応した電波信号を、アンテナを介して送信する電波信号送信手段と、電源となる電池と、前記電池を支持すると共に、前記電池から電力を取出し可能な電池支持手段とを有し、前記電波信号を制御対象となる電子機器へ送信することにより、前記電子機器の機能を遠隔制御するリモコン装置において、
前記電池支持手段を導電性部材からなる帯状体により構成すると共に前記電波信号送信手段と接続することにより、当該電池支持手段を電波信号送信用の前記アンテナとして機能させることを特徴とするリモコン装置。
【請求項２】
前記電池支持手段は、前記帯状体の長手方向略中央位置に前記電池と接触する接触部を有し、前記帯状体の一端と前記電波信号送信手段との間、及び、前記帯状体の他端と前記電波信号送信手段との間に、それぞれ前記電池支持手段と前記電波信号送信手段との接続を切断可能なスイッチ手段を設け、
前記スイッチ手段のうち、いずれか一方のスイッチ手段を接続状態とし、他方のスイッチ手段を切断状態とすることにより、前記接触部と前記帯状体の一端との間、又は、前記接触部と前記帯状体の他端との間を前記アンテナとして機能させることを特徴とする請求項１に記載のリモコン装置。
【請求項３】
前記スイッチ手段に切替信号を入力して、前記スイッチ手段の接続状態を切替えることにより、前記電池支持手段における前記アンテナとして機能させる部分を選択するアンテナ部分選択手段を設けたことを特徴とする請求項１又は請求項２に記載のリモコン装置。
【請求項４】
前記電池支持手段を複数設けると共に各電池支持手段同士を接続し、少なくとも一の電池支持手段に前記電池を支持させることにより、支持した電池から電力を取出し、前記電池を支持させていない他の電池支持手段を前記アンテナとして機能させることを特徴とする請求項１〜３のいずれか１項に記載のリモコン装置。
【請求項５】
前記各電池支持手段は、前記帯状体の長手方向がそれぞれ異なる方向となるように配置され、各電池支持手段から送信される前記電波信号の偏波面がそれぞれ異なることを特徴とする請求項４に記載のリモコン装置。
【請求項６】
各電池支持手段は、前記電波信号の１/４波長を奇数倍した距離だけ離隔して配設されていることを特徴とする請求項４又は請求項５に記載のリモコン装置。
【請求項７】
各電池支持手段毎に、前記電池支持手段と前記電波信号送信手段との接続を切断可能な選択スイッチ手段を設け、これら選択スイッチ手段のそれぞれに選択信号を入力して、前記選択スイッチ手段を所定の組合せで接続状態、又は、切断状態とすることにより、前記アンテナとして機能させる電池支持手段を選択するアンテナ選択手段を設けたことを特徴とする請求項４〜６のいずれか１項に記載のリモコン装置。
【発明の詳細な説明】
【技術分野】
【０００１】
本発明は、電波信号を送信することにより、制御対象となる電子機器が備える機能を遠隔制御するリモコン装置に関するものである。
【背景技術】
【０００２】
従来、制御対象となる電子機器へ電波信号を送信することにより、電子機器が備える機能を遠隔制御するリモコン装置が広く実用化されていた。
【０００３】
この種のリモコン装置は、一般に、利用者が操作する操作手段と、利用者による操作に対応した電波信号を生成し、電波信号送信用のアンテナを介して制御対象となる電子機器へ送信する電波信号送信手段とを備えていた。
【０００４】
このように電波信号を用いた無線通信を行うリモコン装置として、電波信号送信手段を構成する回路基板の裏面側に電源用のボタン電池を配置すると共に、このボタン電池と信号出力回路とを接続することによって、ボタン電池本体の＋端子を電波信号送信用のアンテナとして機能させるように構成したリモコン装置が考案されている（例えば、特許文献１参照。）。
【特許文献１】特開２００４−３６３９２９号公報
【発明の開示】
【発明が解決しようとする課題】
【０００５】
ところが、上記従来のリモコン装置は、ボタン電池本体の＋端子をアンテナとして機能させるように構成していたため、使用する電波信号の周波数によって電子機器の動作を正常に遠隔制御することができないおそれがあった。
【０００６】
すなわち、電波信号をアンテナから送信する際、送信する電波信号の波長の偶数分の１倍（好適には、１／４波長）の長さのアンテナを用いると、最も効率よく（出力レベルを低下させることなく）電波信号を送信することができることが一般に知られているが、上記従来のリモコン装置では、アンテナの長さがボタン電池本体の直径により規制されてしまうため、使用する電波信号の波長によっては、送信する電波信号の出力レベルが低下して正常に電子機器の機能を遠隔制御することができないおそれがあった。
【課題を解決するための手段】
【０００７】
そこで、請求項１に係る本発明では、利用者が操作する操作手段と、操作手段の操作に対応した電波信号を、アンテナを介して送信する電波信号送信手段と、電源となる電池と、電池を支持すると共に、電池から電力を取出し可能な電池支持手段とを有し、電波信号を制御対象となる電子機器へ送信することにより、電子機器の機能を遠隔制御するリモコン装置において、電池支持手段を導電性部材からなる帯状体により構成すると共に電波信号送信手段と接続することにより、当該電池支持手段を電波信号送信用のアンテナとして機能させることとした。
【０００８】
また、請求項２に係る本発明では、請求項１に記載のリモコン装置において、電池支持手段は、帯状体の長手方向略中央位置に電池と接触する接触部を有し、帯状体の一端と電波信号送信手段との間、及び、帯状体の他端と電波信号送信手段との間に、それぞれ電池支持手段と電波信号送信手段との接続を切断可能なスイッチ手段を設け、スイッチ手段のうち、いずれか一方のスイッチ手段を接続状態とし、他方のスイッチ手段を切断状態とすることにより、接触部と帯状体の一端との間、又は、接触部と帯状体の他端との間をアンテナとして機能させることを特徴とする。
【０００９】
また、請求項３に係る本発明では、請求項１又は請求項２に記載のリモコン装置において、スイッチ手段に切替信号を入力して、スイッチ手段の接続状態を切替えることにより、電池支持手段におけるアンテナとして機能させる部分を選択するアンテナ部分選択手段を設けたことを特徴とする。
【００１０】
また、請求項４に係る本発明では、請求項１〜３のいずれか１項に記載のリモコン装置において、電池支持手段を複数設けると共に各電池支持手段同士を接続し、少なくとも一の電池支持手段に前記電池を支持させることにより、支持した電池から電力を取出し、電池を支持させていない他の電池支持手段をアンテナとして機能させることを特徴とする。
【００１１】
また、請求項５に係る本発明では、請求項４に記載のリモコン装置において、各電池支持手段は、帯状体の長手方向がそれぞれ異なる方向となるように配置され、各電池支持手段から送信される電波信号の偏波面がそれぞれ異なることを特徴とする。
【００１２】
また、請求項６に係る本発明では、請求項４又は請求項５に記載のリモコン装置において、各電池支持手段は、電波信号の１/４波長を奇数倍した距離だけ離隔して配設されていることを特徴とする。
【００１３】
また、請求項７に係る本発明では、請求項４〜６のいずれか１項に記載のリモコン装置において、各電池支持手段毎に、電池支持手段と電波信号送信手段との接続を切断可能な選択スイッチ手段を設け、これら選択スイッチ手段のそれぞれに選択信号を入力して、選択スイッチ手段を所定の組合せで接続状態、又は、切断状態とすることにより、アンテナとして機能させる電池支持手段を選択するアンテナ選択手段を設けたことを特徴とする。
【発明の効果】
【００１４】
本発明によれば、以下に記載するような効果を奏する。
【００１５】
すなわち、請求項１に係る本発明では、利用者が操作する操作手段と、操作手段の操作に対応した電波信号を、アンテナを介して送信する電波信号送信手段と、電源となる電池と、電池を支持すると共に、電池から電力を取出し可能な電池支持手段とを有し、電波信号を制御対象となる電子機器へ送信することにより、電子機器の機能を遠隔制御するリモコン装置において、電池支持手段を導電性部材からなる帯状体により構成すると共に電波信号送信手段と接続することにより、当該電池支持手段を電波信号送信用のアンテナとして機能させることとしたため、アンテナの長さが電池の大きさにより規制されることがなく、任意の長さの電池支持体を設けてアンテナとして機能させることができるので、電子機器へ確実に電波信号を受信させることができ、電子機器を正常に遠隔制御することができるリモコン装置を提供することができる。
【００１６】
また、請求項２に係る本発明では、請求項１に記載のリモコン装置において、電池支持手段は、帯状体の長手方向略中央位置に電池と接触する接触部を有し、帯状体の一端と電波信号送信手段との間、及び、帯状体の他端と電波信号送信手段との間に、それぞれ電池支持手段と電波信号送信手段との接続を切断可能なスイッチ手段を設け、スイッチ手段のうち、いずれか一方のスイッチ手段を接続状態とし、他方のスイッチ手段を切断状態とすることにより、接触部と帯状体の一端との間、又は、接触部と帯状体の他端との間をアンテナとして機能させることを特徴とするため、リモコン装置を利用者の操作しやすい位置に設置した状態であっても、電池支持手段のアンテナとして機能させる部分を変更することによってアンテナと電子機器との位置関係を変更することができるので、壁面に取付けて使用するようなリモコン装置の場合に、電子機器による電波信号の受信状態がよい方の部分を電波信号送信用のアンテナとして選択することができ、電子機器に電波信号をより確実に受信させることができる。
【００１７】
また、請求項３に係る本発明では、請求項１又は請求項２に記載のリモコン装置において、スイッチ手段に切替信号を入力して、スイッチ手段の接続状態を切替えることにより、電池支持手段におけるアンテナとして機能させる部分を選択するアンテナ部分選択手段を設けたことを特徴とするため、アンテナ部分選択手段を動作させるだけで、実際に回路中のスイッチ手段を切替えるといった煩雑な作業を行うことなく、簡単にアンテナとして機能させる部分を変更することができる。
【００１８】
また、請求項４に係る本発明では、請求項１〜３のいずれか１項に記載のリモコン装置において、電池支持手段を複数設けると共に各電池支持手段同士を接続し、少なくとも一の電池支持手段に前記電池を支持させることにより、支持した電池から電力を取出し、電池を支持させていない他の電池支持手段をアンテナとして機能させることを特徴とするため、電子機器による電波信号の受信状態が良好となる電池支持手段を選択してアンテナとして機能させることができるので、リモコン装置の設置位置に関する自由度が高まり、リモコン装置を利用者が操作しやすい位置に設置しても、電子機器に確実に電波信号を受信させることができるリモコン装置を提供することができる。
【００１９】
また、請求項５に係る本発明では、請求項４に記載のリモコン装置において、各電池支持手段は、帯状体の長手方向がそれぞれ異なる方向となるように配置され、各電池支持手段から送信される電波信号の偏波面がそれぞれ異なることを特徴とするため、アンテナとして選択する電池支持手段を変更したときの電波信号の偏波面の方向をより多きく変化させることができるので、壁面に取付けて使用するようなリモコン装置の場合に、電子機器が電波信号をより確実に受信できる偏波面の電波信号を送信する接触端子をアンテナとして選択するだけで、電子機器の良好な遠隔制御を行うことができる。
【００２０】
また、請求項６に係る本発明では、請求項４又は請求項５に記載のリモコン装置において、各電池支持手段は、電波信号の１/４波長を奇数倍した距離だけ離隔して配設されていることを特徴とするため、アンテナとして機能させる電池支持手段を変更することにより、定在波の発生による無線通信への悪影響を低減することができる。
【００２１】
また、請求項７に係る本発明では、請求項４〜６のいずれか１項に記載のリモコン装置において、各電池支持手段毎に、電池支持手段と電波信号送信手段との接続を切断可能な選択スイッチ手段を設け、これら選択スイッチ手段のそれぞれに選択信号を入力して、選択スイッチ手段を所定の組合せで接続状態、又は、切断状態とすることにより、アンテナとして機能させる電池支持手段を選択するアンテナ選択手段を設けたことを特徴とするため、アンテナ選択手段を動作させるだけで、各選択スイッチ手段を切替えるといった煩雑な作業を行うことなく、簡単にアンテナとして機能させる電池支持手段を選択することができる。
【発明を実施するための最良の形態】
【００２２】
本発明に係るリモコン装置は、制御対象となる電子機器へ電波信号を送信することにより、電子機器が備える機能を遠隔制御するものである。
【００２３】
すなわち、このリモコン装置は、利用者が操作する操作手段として機能する操作ボタンと、利用者による操作ボタンの操作に対応した電波信号を生成し、電波信号送信用のアンテナを介して制御対象となる電子機器へ送信する電波信号送信手段とを有している。
【００２４】
また、このリモコン装置は、その内部に、リモコン装置を動作させるための主電源として機能するボタン型の電池（以下、「ボタン電池という。」）と、このボタン電池を支持すると共に、ボタン電池から電力を取出す電池支持手段とを有している。
【００２５】
この電池支持手段は、導電性部材により形成された帯状体であり、電波信号送信手段が配設されているプリント基板上に配設され、この帯状体とプリント基板との間でボタン電池を挟持することにより電池を支持するように構成している。
【００２６】
特に、この電池支持手段は、プリント基板上から門状に立設されており、その端部がプリント基板に形成されたプリント配線を介して電波信号送信手段内における電波信号の出力端と接続され、電波信号送信手段が電波信号を出力した際に、その電波信号を電子機器へ送信するためのアンテナとして機能するものである。
【００２７】
このように、電池支持手段を電波信号送信用のアンテナとして機能させることにより、アンテナの長さが電池の大きさにより規制されることがなく、任意の長さの電池支持体を設けてアンテナとして機能させることができるので、電子機器へ確実に電波信号を受信させることができ、電子機器を正常に遠隔制御することができるリモコン装置を提供することができる。
【００２８】
また、この電池支持手段は、導電性を有する帯状体の長手方向略中央位置に、ボタン電池と接触する接触部を有しており、この接触部によりボタン電池の正極から電力を取出すことができるようにしている。
【００２９】
さらに、電池支持手段を構成している帯状体の一端と電波信号送信手段との間、及び、帯状体の他端と電波信号送信手段との間に、それぞれ電池支持手段と電波信号送信手段との接続を接続切断可能なスイッチ手段を設けており、このスイッチ手段のうち、いずれか一方のスイッチ手段を接続状態とすることにより、電波信号送信手段と接続し、他方のスイッチ手段を切断状態とすることにより、電波信号送信手段との接続を切断して、接触部と帯状体の一端との間、又は、接触部と帯状体の他端との間、すなわち、電池支持手段の略中央位置から左右いずれかの端部までをアンテナとして機能させるようにしている。
【００３０】
スイッチ手段としては、ディップスイッチなど、手動で切替可能な比較的安価なものを用いることができ、リモコン装置を取付ける際にスイッチ手段を初期設定しておくだけで、制御対象の電子機器へ確実に電波信号を送信することができる。なお、帯状体に接触部を設けない場合には、帯状体におけるボタン電池との接触面全体でボタン電池から電力を取出すことができ、この場合、帯状体の両端部間全体を電波信号送信用のアンテナとして機能させることもできる。
【００３１】
このように、電池支持手段におけるアンテナとして機能させる部分を切替可能に構成したことにより、リモコン装置を利用者の操作しやすい位置に設置した状態であっても、電池支持手段のアンテナとして機能させる部分を変更することによってアンテナと電子機器との位置関係を変更することができるので、壁面に取付けて使用するようなリモコン装置の場合に、電子機器による電波信号の受信状態がよい方の部分を電波信号送信用のアンテナとして選択することができ、電子機器に電波信号をより確実に受信させることができる。
【００３２】
また、このリモコン装置は、上記した各スイッチ手段に切替信号を入力して、スイッチ手段の接続状態を切替えることにより、電池支持手段におけるアンテナとして機能させる部分を選択するアンテナ部分選択手段を設けることができる。
【００３３】
このようにアンテナ部分選択手段を設ける場合には、スイッチ手段としてトランジスタスイッチなどの用いることができ、トランジスタスイッチのベースに切替信号を入力することによってスイッチ手段を切替えることができるので、切替信号を入力するための操作ボタンを設けておけば、実際に回路中のスイッチ手段を切替えるといった煩雑な作業を行うことなく、簡単にアンテナとして機能させる部分を変更することができる。
【００３４】
また、このリモコン装置は、上記構成の電池支持手段をプリント基板上に複数設けることができる。
【００３５】
このように電池支持手段を複数設ける場合、各電池指示手段同士をそれぞれ並列に接続し、少なくとも一つの電池支持手段に電池を支持させることにより、支持した電池から電力を取出してリモコン装置の主電源として機能させ、電池を支持させていない他の電池支持手段を電波信号送信用のアンテナとして機能させるようにする。
【００３６】
そのため、アンテナとして機能させたときに電子機器による電波信号の受信状態が良好となる方の電池支持手段を選択してアンテナとして機能させ、受信状態が好ましくない方の電池支持手段にボタン電池を支持させ、リモコン装置の電源として機能させることができ、リモコン装置を利用者が操作しやすい位置に設置しても、電子機器に確実に電波信号を受信させることができるので、リモコン装置の設置位置に関する自由度が高めることができる。
【００３７】
また、複数の電池支持手段を設ける場合には、各電池指示手段を構成する帯状体の長手方向がそれぞれ異なる方向となるように配置するようにしており、こうすることにより、各電池支持手段から送信される電波信号の偏波面がそれぞれ異なるようになり、アンテナとして選択する電池支持手段を変更したときの電波信号の偏波面の方向をより多きく変化させることができるので、壁面に取付けて使用するようなリモコン装置の場合に、電子機器が電波信号をより確実に受信できる偏波面の電波信号を送信する接触端子をアンテナとして選択するだけで、電子機器の良好な遠隔制御を行うことができる。
【００３８】
また、各電池支持手段は、電波信号送信手段が出力する電波信号の１/４波長を奇数倍した距離だけ離隔して配設することが好ましく、このように配設することで、定在波の発生による無線通信への悪影響を低減することができる。
【００３９】
また、複数設けた各電池支持手段のそれぞれに、電池支持手段と電波信号送信手段との接続を切断可能な選択スイッチ手段を設けると共に、これら選択スイッチ手段のそれぞれに選択信号を入力して、選択スイッチ手段を所定の組合せで接続状態、又は、切断状態とすることにより、アンテナとして機能させる電池支持手段を選択するアンテナ選択回路を設けるようにしている。
【００４０】
選択スイッチ手段としては、トランジスタスイッチを用いることができ、このトランジスタスイッチのベースに選択信号を入力するための選択ボタンを各電池支持手段に対応させて設けておけば、アンテナとして機能させたい電池支持手段に対応した選択ボタンを操作するだけで、実際にプリント基板上の各選択スイッチ手段を切替えるといった煩雑な作業を行うことなく、簡単にアンテナとして機能させる電池支持手段を選択することができる。
【００４１】
以下、本発明に係るリモコン装置の具体的な実施形態として、第１実施形態では、１つの電池支持手段を備えたリモコン装置について、また、第２実施形態では、複数の電池支持手段を備えたリモコン装置について、図面を参照して具体的に説明する。
【００４２】
なお、以下の説明では、制御対象となる電子機器を洗浄便座装置とし、この洗浄便座装置の動作を遠隔制御するリモコン装置に本発明を適用した場合を例に挙げて説明を行うが、本発明は、これに限定されるものではなく、電波信号送信用のアンテナを介して電波信号を送信する電波信号送信手段と、電源となる電池を支持すると共に電池から電力を取出し可能な電池支持手段とを有し、電波信号送信手段から制御対象である電子機器へ電波信号を送信することにより、電子機器の動作を遠隔制御するものであれば、任意のリモコン装置に対して適用することができるものである。
【００４３】
（第１実施形態）
第１実施形態において、図１はリモコン装置の使用形態を示す斜視図であり、図２はリモコン装置内部のプリント基板を示す斜視図、図３は電池ホルダを示す断面図であり、図４はアンテナとして機能する電池ホルダを示す回路図である。
【００４４】
図１に示すように、リモコン装置1は、トイレブース2の壁面で利用者3が操作しやすい位置に取付けられて使用されるものである。
【００４５】
このリモコン装置1は、薄い箱型の筐体の前面側に利用者が操作するための操作手段として機能する複数の操作ボタン4を備えている。
【００４６】
この操作ボタン4は、洗浄便座装置5が備える局部洗浄機能、乾燥機能、脱臭機能、便器洗浄機能などといった各機能に対応して設けられており、利用者3が所望する機能に対応した操作ボタン4を押圧操作することにより、その操作に対応した電波信号がリモコン装置1から洗浄便座装置5へ送信され、この電波信号によって洗浄便座装置5の各種機能を遠隔制御するようにしている。
【００４７】
また、リモコン装置1は、図２に示すように、その筐体の内部にリモコン装置1を動作させるための各種電子部品を実装したプリント基板6を備えている。
【００４８】
このプリント基板6上には、利用者3による操作ボタン4の操作に対応した電波信号を送信する無線回路7と、リモコン装置1の主電源として機能するボタン電池8と、ボタン電池8を支持すると共に、支持したボタン電池8から電力を取出す電池支持手段として機能する電池ホルダ9とを備えている。
【００４９】
特に、電池ホルダ9は、プリント基板6の下面側に形成されたプリント配線13を介して無線回路7の出力端（図示略）と接続されており、無線回路7から出力される電波信号を洗浄便座装置5へ送信するためのアンテナとして機能するものである。なお、ここでは説明を簡単に行うため、無線回路7、ボタン電池8、電池ホルダ9以外の電子部品については図示を省略している。
【００５０】
この電池ホルダ9は、図３（a）（b）に示すように、断面視門形状の帯状体であり、導電性を有する部材により形成している。すなわち、この電池ホルダ9は、プリント基板6上の所定位置に載置されたボタン電池8の両脇から、プリント基板6面に対して略垂直方向に立設した一対の脚部9a、9aと、この一対の脚部9a、9a間に架設されボタン電池8をプリント基板6側へ押圧する梁部9bとが一体となった構造をしている。
【００５１】
そして、この電池ホルダ9は、梁部9bの長手方向略中央位置にボタン電池8の＋極と接触する接触部9cを備え断面視略Ｍ字の門形状となっており、この接触部9cによってボタン電池8から電力を取出し、リモコン装置1を構成する各電子部品に電力を供給するようにしている。
【００５２】
なお、接触部9cの構造はこれに限定されるものではなく、例えば、図３（c）に示す電池ホルダ9'ように、一対の脚部9a'、9a'間に架設された短冊形状の梁部9bの略中央位置に下側（プリント基板6側）へ突出した凸部を設け、この凸部を接触部9c'として機能させる構造としてもよく、梁部9b'の略中央位置でボタン電池8の＋極と接触し、ボタン電池8から電力を取出すことができる構造であれば任意の構造を適用することができる。
【００５３】
また、図３（a）（b）に示す電池ホルダ9の脚部9a、9aは、プリント基板6に形成したプリント配線13に接続され、後述するスイッチ手段を介して無線回路7と接続されている（図２参照）。
【００５４】
無線回路7は、利用者3による操作ボタン4の操作に対応した電波信号を発振して出力する電波信号発振回路と、後述するアンテナ駆動回路12（図４参照。）とを備えており、電波信号発振回路が発振する電波信号をアンテナ駆動回路12で増幅し、アンテナとして機能する電池ホルダ9を介して洗浄便座装置5へ送信する電波信号送信手段として機能するものである。
【００５５】
また、この無線回路7は、電池ホルダ9と無線回路7との接続を切断可能なスイッチ手段として機能する第１スイッチSW1及び第２スイッチSW2（図４参照）を切替えるための切替信号を生成する切替信号生成回路を備えている。
【００５６】
そして、この切替信号生成回路により生成した切替信号を第１スイッチSW1及び第２スイッチSW2へ入力することにより、第１スイッチSW1と第２スイッチSW2とのうちいずれか一方のスイッチを接続状態とし、他方のスイッチを切断状態とすることにで、電池ホルダ9におけるアンテナとして機能させる部分を選択するアンテナ部分選択手段としても機能するものである。
【００５７】
また、この電池ホルダ9は、接触部9cから第１端部10までの長さ、及び、接触部9cから第２端部11までの長さを、洗浄便座装置5へ送信する電波信号の1／4波長、若しくは、その実数倍の長さとなるようにすることによって、電池ホルダ9の接触部9cと第１端部10との間、又は、接触部9cと第２端部11との間をアンテナとして機能させた場合に、電波信号の信号レベルを低下させることなく洗浄便座装置5へ送信することができるようにしている。
【００５８】
ここで、電池ホルダ9と無線回路7との接続形態と、電池ホルダ9においてアンテナとして機能させる部分の選択方法について図４を参照して説明する。
【００５９】
図４（a）（b）に示すように、電池ホルダ9は、接触部9cでボタン電池8の＋極と接続されており、電池ホルダ9の一端（以下、「第１端部10」という。）が第１スイッチSW1を介して無線回路7と接続されており、電池ホルダ9の他端（以下、「第２端部11」という。）が第２スイッチSW2を介して無線回路7と接続されている。
【００６０】
そして、接触部9cから取出した電力（電源電位Vcc）が第１端部10を介してリモコン装置1の各電子部品へ供給するように構成している。
【００６１】
また、第１スイッチSW1及び第２スイッチSW2は、無線回路7内部のアンテナ駆動回路12に接続されている。
【００６２】
このアンテナ駆動回路12は、無線回路7が備える電波信号発振回路から出力される電波信号を増幅して電池ホルダ9をアンテナとして駆動させる回路であり、トランジスタにより構成している。
【００６３】
そして、このアンテナ駆動回路12は、トランジスタのベースが電波信号発振回路に接続され、トランジスタのコレクタは第１スイッチSW1及び第２スイッチSW2に接続されてれ、エミッタはグランドに接続されている。
【００６４】
そして、アンテナ駆動回路12を構成しているトランジスタのベースに、電波信号発振回路が出力した電波信号を入力され、この電波信号を増幅した電流が電池ホルダ9の接触部9cからトランジスタを介してグランドに流れるように構成している。
【００６５】
このように電池ホルダ9と無線回路7とを接続することで、第１スイッチSW1と第２スイッチSW2を切替えることにより、電池ホルダ9における接触部9cと第１端部10との間、又は、接触部9cと第２端部11との間のいずれか一方を電波信号送信用のアンテナとして機能させるように構成している。
【００６６】
すなわち、接触部9cと第１端部10との間をアンテナとして機能させる場合、第１スイッチSW1及び第２スイッチSW2に切替信号を入力することにより、図４（a）に示すように第１スイッチSW1をオン状態とし、第２スイッチSW2をオフ状態とする。
【００６７】
このように電池ホルダ9と無線回路7とを接続した状態で、アンテナ駆動回路12のベースに電波信号発振回路が出力した電波信号が入力されると、アンテナ駆動回路12であるトランジスタがオンして、ベースに入力される電波信号を増幅した電流が、電池ホルダ9の接触部9cと第１端部10との間を流れ、接触部9c第１端部10との間が電波信号送信用のアンテナとして機能することとなる。
【００６８】
また、接触部9cと第２端部11との間をアンテナとして機能させる場合、第１スイッチSW1及び第２スイッチSW2に切替信号を入力することにより、図４（b)に示すように第１スイッチSW1をオフ状態とし、第２スイッチSW2をオン状態とする。
【００６９】
このように電池ホルダ9と無線回路7とを接続した状態で、アンテナ駆動回路12のベースに電波信号発振回路が出力した電波信号が入力されると、アンテナ駆動回路12であるトランジスタがオンして、ベースに入力される電波信号を増幅した電流が、電池ホルダ9の接触部9cと第２端部11との間を流れ、接触部9c第２端部11との間が電波信号送信用のアンテナとして機能することとなる。
【００７０】
このように、第１実施形態のリモコン装置1では、電池ホルダ9がボタン電池8を支持する機能と、ボタン電池8から電力を取出す機能と、電波信号を送信するためのアンテナとしての機能とを併せ持つため、リモコン装置1を構成する部品点数を減少させることができ、リモコン装置1の製造コストを削減することができる。
【００７１】
また、アンテナだけのためにスペースを確保する必要がないため、リモコン装置1を小型化することできる。
【００７２】
しかも、電池ホルダ9の接触部9cから第１端部10までの長さ、及び、接触部9cから第２端部11までの長さを、洗浄便座装置5へ送信する電波信号の1／4波長、若しくは、その実数倍の長さとなるように構成しているため、電波信号の信号レベルを低下させることなく効率よく洗浄便座装置5へ送信することができる。
【００７３】
その上、第１スイッチSW1及び第２スイッチSW2の切替を行うことにより、電池ホルダ9におけるアンテナとして機能させる部分を変更することができる。
【００７４】
そのため、電池ホルダ9の接触部9cと第１端部10との間をアンテナとして機能させた場合と、接触部9cと第２端部11との間をアンテナとして機能させた場合とでは、電波信号を送信するアンテナと電波信号を受信する洗浄便座装置5との位置関係が異なることとなるので、洗浄便座装置5が電波信号をより良好に受信できる部分をアンテナとして選択することで、より良好な無線通信を行うことができる共に、リモコン装置1の設置位置の自由度を高めることもできる。
【００７５】
（第２実施形態）
第２実施形態において、図５はリモコン装置内部のプリント基板を示す斜視図であり、図６はプリント基板を示す平面図であり、図７はアンテナとして機能する電池ホルダを示す回路図である。
【００７６】
図５に示すように、第２実施形態のリモコン装置内部のプリント基板21上には、第１実施形態のリモコン装置1と同様に無線回路22が設けられている。
【００７７】
この無線回路22は、第１実施形態における無線回路7と同様に電波信号発振回路を備えており、それに加えて、後述するアンテナ選択回路28と、第１アンテナ駆動回路26と第２アンテナ駆動回路27とを備えている。
【００７８】
また、このプリント基板21上には、第１実施形態のリモコン装置1とは異なり、第１電池ホルダ23と第２電池ホルダ24という２つの電池ホルダが設けられており、第１電池ホルダ23と第２電池ホルダ24とは、プリント基板21に形成されたプリント配線34により並列に接続されている。なお、これら第１電池ホルダ23及び第２電池ホルダ24の構造は、図３に示す第１実施形態の電池ホルダ9と同様であるため、その説明は省略する。
【００７９】
また、第１電池ホルダ23と第２電池ホルダ24は、それぞれプリント配線34により無線回路22に接続され、第１電池ホルダ23と第２電池ホルダ24とのうち、いずれか一方の電池ホルダによりボタン電池25を指示させてリモコン装置の電源として機能させ、ボタン電池25を支持していない他方の電池ホルダを電波信号送信用のアンテナとして機能させるようにしている。
【００８０】
ここでは、第１電池ホルダ23によりボタン電池25を支持して電源として機能させ、ボタン電池25を支持していない第２電池ホルダ24をアンテナとして機能させるようにしている。
【００８１】
また、これら第１電池ホルダ23と第２電池ホルダ24とは、図６に示すように、各電池ホルダを構成している帯状体の長手方向がそれぞれ９０度異なる方向となるように配置しており、このように配置することによって第１電池ホルダ23をアンテナとして機能させた場合に送信する電波信号の偏波面と、第２電池ホルダ24をアンテナとして機能させた場合に送信する電波信号の偏波面とがそれぞれ異なるようにしている。
【００８２】
こうすることにより、洗浄便座装置5が電波信号をより良好に受信できる偏波面の電波信号を送信可能な方の電池ホルダを選択的にアンテナとして機能させることができ、洗浄便座装置5の機能をより確実に遠隔制御することができる。
【００８３】
また、第１電池ホルダ23と第２電池ホルダ24とは、所定の間隔をあけてプリント基板21の端部近傍に配置している。このとき、第１電池ホルダ23と第２電池ホルダ24との間隔は、洗浄便座装置5へ送信する電波信号の１/４波長を奇数倍した距離とすることが好ましく、これにより、洗浄便座装置5へ送信した電波信号がトイレブース2の壁面や洗浄便座装置5に反射することにより生じる定在波の悪影響が小さい方の電池ホルダをアンテナとして機能させることができるので、洗浄便座装置5に電波信号をより良好に受信させることができる。
【００８４】
ここで、第１電池ホルダ23と第２電池ホルダ24と無線回路22との接続形態と、第１電池ホルダ23を電源として機能させ、第２電池ホルダ24をアンテナとして機能させるアンテナの選択方法について図７を参照して説明する。
【００８５】
図７に示すように、第１電池ホルダ23は、接触部29でボタン電池25の＋極と接続されており、第１電池ホルダ23の一端（以下、「第３端部30」という。）が第３スイッチSW3を介して無線回路22と接続されており、第１電池ホルダ23の他端（以下、「第４端部31」という。）が第４スイッチSW4を介して無線回路22と接続されている。
【００８６】
そして、接触部29から取出した電力（電源電位Vcc）を第３端部30を介してリモコン装置1の各電子部品に供給すると共に（図示略）、第１電池ホルダ23と並列に接続されている第２電池ホルダ24にも供給するようにしている。
【００８７】
また、第３スイッチSW3及び第４スイッチSW4は、無線回路22内部の第１アンテナ駆動回路26に接続されている。
【００８８】
この第１アンテナ駆動回路26は、第１電池ホルダ23をアンテナとして機能させる場合に、無線回路22内の電波信号発振回路から出力される電波信号を増幅して第１電池ホルダ23をアンテナとして駆動させる回路であり、トランジスタにより構成している。
【００８９】
そして、この第１アンテナ駆動回路26は、トランジスタのベースが第１選択スイッチSWaを介して電波信号発振回路に接続され、このベースに電波信号が入力される。また、トランジスタのコレクタは第３スイッチSW3及び第４スイッチSW4に接続されており、エミッタはグランドに接続されている。
【００９０】
また、第１選択スイッチSWaは、無線回路22内部の選択信号生成回路（図示略）から入力される選択信号に基づいて、第１電池ホルダ23をアンテナとして機能させる場合に、第１アンテナ駆動回路26と電波信号発振回路とを接続させ、第１電池ホルダ23を電源として機能させる場合に、第１アンテナ駆動回路26と電波信号発振回路との接続を切断するように切り替わる選択スイッチ手段として機能するものである。
【００９１】
そして、この第１選択スイッチSWaは、後述する第２選択スイッチSWbと共にアンテナとして機能させる電池ホルダを選択するアンテナ選択手段として機能するアンテナ選択回路28を構成するものである。
【００９２】
また、第２電池ホルダ24は、その帯状体の一端（以下、「第５端部32」という。）が第５スイッチSW5を介して無線回路22と接続されており、帯状体の他端（以下、「第６端部33」という。）が第５スイッチSW5を介して無線回路22と接続されている。なお、図７中の符号29aは、第２電池ホルダ24を電源として機能させる際に、ボタン電池25から電力を取出すための接触部である。
【００９３】
また、第５スイッチSW5及び第６スイッチSW6は、無線回路22内部の第２アンテナ駆動回路27に接続されている。
【００９４】
この第２アンテナ駆動回路27は、第２電池ホルダ24をアンテナとして機能させる場合に、無線回路22が備える電波信号発振回路から出力される電波信号を増幅して第２電池ホルダ24をアンテナとして駆動させる回路であり、トランジスタにより構成している。
【００９５】
そして、この第２アンテナ駆動回路27は、トランジスタのベースが第２選択スイッチSWbを介して電波信号発振回路に接続され、このベースに電波信号が入力される。また、トランジスタのコレクタは第５スイッチSW5及び第６スイッチSW6に接続されており、エミッタはグランドに接続されている。
【００９６】
また、第２選択スイッチSWbは、選択信号生成回路から入力される選択信号に基づいて、第２電池ホルダ24をアンテナとして機能させる場合に、第２アンテナ駆動回路27と電波信号発振回路とを接続させ、第２電池ホルダ24を電源として機能させる場合に、第２アンテナ駆動回路27と電波信号発振回路との接続を切断するように切り替わるものであり、上記した第１選択スイッチSWaと共にアンテナとして機能させる電池ホルダを選択するアンテナ選択手段として機能するアンテナ選択回路28を構成するものである。
【００９７】
このように第１電池ホルダ23と、第２電池ホルダ24と、無線回路22とをそれぞれ接続することで、２つの電池ホルダのうち、一方の電池ホルダ（第１電池ホルダ23）を電源として機能させ、他方の電池ホルダ（第２電池ホルダ24）を電波信号送信用のアンテナとして機能させるように構成している。
【００９８】
すなわち、図７に示すように第１電池ホルダ23を電源として機能させ、第２電池ホルダ24をアンテナとして機能させる場合、まず、第１電池ホルダ23にボタン電池25を保持させた状態で、第３〜第６スイッチSW4〜SW6のそれぞれに切替信号を入力することにより、第３スイッチSW3と第４スイッチSW4と第５スイッチSW5とをオフ状態とし、第６スイッチSW6とをオン状態とする。
【００９９】
そして、アンテナ選択回路28を構成している第１選択スイッチSWa及び第２選択スイッチSWbに選択信号を入力することにより、第１選択スイッチSWaをオフ状態とし、第２選択スイッチSWbをオン状態とする。
【０１００】
このように第１電池ホルダ23と、第２電池ホルダ24と無線回路22とを接続した状態で、第２アンテナ駆動回路27のベースに電波信号発振回路が出力した電波信号が入力されると、第２アンテナ駆動回路27を構成しているトランジスタがオンし、第２アンテナ駆動回路27のベースに入力される電波信号を増幅した電流が、ボタン電池25から供給されて第２電池ホルダ24の第５端部32と第６端部33との間を流れ、第５端部32と第６端部33との間が電波信号送信用のアンテナとして機能することとなる。
【０１０１】
また、第１電池ホルダ23をアンテナとして機能させ、第２電池ホルダ24を電源として機能させる場合には、第２電池ホルダ24にボタン電池25を支持させると共に、第３スイッチSW3と第４スイッチSW4と第５スイッチSW5とをオフ状態とし、第６スイッチSW6のみオン状態とする。
【０１０２】
そして、アンテナ選択回路28を構成している第１選択スイッチSWaをオン状態とし、第２選択スイッチSWbをオフ状態とする。
【０１０３】
このように第１電池ホルダ23と、第２電池ホルダ24と無線回路22とを接続した状態で、第１アンテナ駆動回路26のベースに電波信号発振回路が出力した電波信号が入力されると、第１アンテナ駆動回路26を構成しているトランジスタがオンし、第１アンテナ駆動回路26のベースに入力される電波信号を増幅した電流が、ボタン電池25から供給されて第１電池ホルダ23の第３端部30と第４端部31との間を流れ、第３端部30と第４端部31との間が電波信号送信用のアンテナとして機能することとなる。
【０１０４】
このように、第２実施形態のリモコン装置では、第３〜第６スイッチSw3〜SW6と、第１選択スイッチSWaと第２選択スイッチSWbとをそれぞれ所定の組合せでオン状態又はオフ状態とすることにより、複数の電池ホルダのうちボタン電池25を支持している一の電池ホルダを電源として機能させると共に、ボタン電池25を支持していない他の電池ホルダを電波信号送信用のアンテナとして機能させることができる。
【０１０５】
そのため、複数の電池ホルダのうち、アンテナとして機能させた際に、洗浄便座装置5が最も良好に電波信号を受信することができる電池ホルダを選択してアンテナとして機能させることができ、洗浄便座装置5の機能をより確実に遠隔制御することができる。
【０１０６】
また、リモコン装置を利用者が操作しやすい位置に設置した際に、洗浄便座装置5側で十分に電波信号を受信できない場合にも、アンテナとして機能させる電池ホルダを変更するだけで、リモコン装置の設置位置を変更することなく、電波信号を送信するアンテナと電波信号を受信する洗浄便座装置5との位置関係を変えることができるため、リモコン装置1の設置位置に関する自由度を高めることができる。
【０１０７】
なお、第２実施形態では、説明を簡単にするため、プリント基板21上に２個の電池ホルダを設けた場合を例に挙げて説明したが、プリント基板21上に設ける電池ホルダの個数は、これに限定されるものではなく、３個以上設置することもできる。
【０１０８】
また、第２実施形態では、電池ホルダの両端部間をアンテナとして機能させているが、第３〜第６スイッチSW3〜SW6、第１選択スイッチSWa、第２選択スイッチSWbのオン状態とオフ状態とを特定の組合せで設定することにより、第２実施形態の電池ホルダについても第１実施形態と同様に、電池ホルダを構成している帯状体の略中央位置から帯状体の一端までの間、又は、帯状体の略中央位置から帯状体の他端までの間のいずれか一方をアンテナとして選択的に機能させることもできる。
【０１０９】
また、第2実施形態では、第1アンテナ駆動回路26と第2アンテナ駆動回路27を1つに統合し、第1選択スイッチSWa、および、第2選択スイッチSWbを削除しても同様の効果が得られる。但し、第1アンテナ駆動回路26と第2アンテナ駆動回路27のコレクタ同士は接続し、アンテナからコレクタ迄のプリント配線34を短くできるようなアンテナ駆動回路の配置とすることが必要である。
【０１１０】
また、第2実施形態では、第1選択スイッチSWa、および、第2選択スイッチSWbを共に常時接続状態とし、両者を削除しても同様の効果が得られる。上記の説明では動作の理解のし易さから、便宜上、第1選択スイッチSWa、および、第2選択スイッチSWbを用いた実施例を用いた。
【図面の簡単な説明】
【０１１１】
【図１】リモコン装置の使用形態を示す斜視図である。
【図２】第１実施形態におけるリモコン装置内部のプリント基板を示す斜視図である。
【図３】電池ホルダを示す断面図である。
【図４】第１実施形態においてアンテナとして機能する電池ホルダを示す回路図である。
【図５】第２実施形態におけるリモコン装置内部のプリント基板を示す斜視図である。
【図６】第２実施形態におけるプリント基板を示す平面図である。
【図７】第２実施形態におけるアンテナとして機能する電池ホルダを示す回路図である。
【符号の説明】
【０１１２】
１  リモコン装置
２  トイレブース
３  利用者
４  操作ボタン
５  洗浄便座装置
６  プリント基板
７  無線回路
８  ボタン電池
９、９'  電池ホルダ
９a、９a'  脚部
９b、９b'  梁部
９c、９c'  接触部9cを備え断面
１０  第１端部
１１  第２端部
１２  アンテナ駆動回路
１３  プリント配線
２１  プリント基板
２２  無線回路
２３  第１電池ホルダ
２４  第２電池ホルダ
２５  ボタン電池
２６  第１アンテナ駆動回路
２７  第２アンテナ駆動回路
２８  アンテナ選択回路
２９、２９a  接触部
３０  第３端部
３１  第４端部
３２  第５端部
３３  第６端部
３４  プリント配線
ＳＷ１  第１スイッチ
ＳＷ２  第２スイッチ
ＳＷ３  第３スイッチ
ＳＷ４  第４スイッチ
ＳＷ５  第５スイッチ
ＳＷ６  第６スイッチ
ＳＷa  第１選択スイッチ
ＳＷb  第２選択スイッチ
Ｖｃｃ  電源電位
【図１】
2007166149.tif 000003
【図２】
2007166149.tif 000004
【図３】
2007166149.tif 000005
【図４】
2007166149.tif 000006
【図５】
2007166149.tif 000007
【図６】
2007166149.tif 000008
【図７】
2007166149.tif 000009